【事件の表示】
　特願２００４−３７８０４７「分離型メダル遊技機」拒絶査定不服審判事件〔平成１７年　４月１４日出願公開、特開２００５−　９５６７４〕について、次のとおり審決する。
【結　論】
　本件審判の請求は、成り立たない。
【理　由】
　　　
第一、手続きの経緯
　本願は、平成６年１２月１３日に出願した特願平６−３０９０５３号の一部を平成１６年１１月２９日に新たな特許出願としたものであって、平成１９年５月１８日付けで拒絶理由が通知され、これに対し、同年８月１０日付けで意見書が提出され、同年１０月３１日付けで拒絶査定がなされ、これに対し、同年１２月６日に拒絶査定不服の審判請求がなされるとともに、同年１２月２５日付け手続補正書によって明細書の一部が補正されたものである。
　
第二、平成１９年１２月２５日付けの手続補正についての補正却下の決定
［補正却下の決定の結論］
　平成１９年１２月２５日付けの手続補正（以下、「本件補正」という。）を却下する。
［理由］
　（１）補正後の本願発明　　
　本件補正により、特許請求の範囲の請求項１の記載は、願書に添付された明細書に記載（以下、「補正前」という。）の、
　「　上部ユニットとこれに着脱自在に設けた下部ユニットとからなり、前記上部ユニットは遊技機能の主体であるリールユニット、これの制御ボックス及びこれらに附属する機器を収納してなり、前記下部ユニットは外部からメダルの払出信号を受けてメダルを払い出す機能を有するメダルホッパー、電源ボックス及びこれらに附帯する機器を収納してなるとともに、前記上部ユニットの前面には上扉が、また前記下部ユニットの前面には下扉が、それぞれ装着されてなることを特徴とする分離型メダル遊技機。」から、
　「　
各々の筐体が箱型状を呈する上部ユニットと下部ユニットとを着脱自在に積み重ねてなり、
　
　本件補正は、補正前の請求項１に記載された発明の構成に欠くことができない事項である「着脱自在に設けた上部ユニットと下部ユニット」について、「各々の筐体が箱型状を呈する上部ユニットと下部ユニットとを着脱自在に積み重ねてなり、」と限定するとともに、補正前の請求項２を削除するものであるから、本件補正は、平成６年改正前特許法第１７条の２第３項第２号の特許請求の範囲の減縮及び同条同項第１号の請求項の削除を目的とするものに該当する。
　
　（２）そこで、本件補正後の請求項１に記載された発明（以下、「本願補正発明」という。）が特許出願の際独立して特許を受けることができるものであるのか（平成６年改正前特許法第１７条の２第４項において準用する同法第１２６条第３項の規定に適合するか）について以下に検討する。
　　　
　（あ）刊行物に記載された発明
刊行物Ａ；特開平６−２３１３４号公報　（拒絶理由通知書の引用文献２）
刊行物Ｂ；特開平５−７６６４号公報　（拒絶理由通知書の引用文献１）
刊行物Ｃ；実願昭６３−９５８４６号（実開平２−１７１７７号）の
　　　　　　マイクロフィルム　（拒絶理由通知書の引用文献３）
　
　原査定の拒絶理由通知に引用された特開平６−２３１３４号公報（以下、「引用刊行物Ａ」という。）には、以下の技術事項の記載がある。
　（Ａ−１）「【０００３】
【発明が解決しようとする課題】・・・本発明は上記実情に鑑みてなされたものであって、遊技装置の扉体に対する装着構造を工夫することにより、外装部品の外観意匠を開口部の寸法形状を越える広い範囲に亘って変更することを要する別の遊技装置に取替える場合でも、その遊技装置の製作並びに扉体に対する装着が簡単に行え、しかも、その外観意匠を損なうことなく装着できる遊技設備を提供することを目的とする。
【０００４】
【課題を解決するための手段】上記目的を達成する為の本発明の特徴構成は、冒記遊技設備において、前記扉体に装着される遊技装置の全部又は一部が、前記通路側に露出させる状態で装着される外装部品と、前記通路側から隠れる状態で装着される内装部品とを前後に連結して構成され、前記内装部品を前記扉体の前面側から挿入してその背面側に装着可能な開口部が当該扉体に設けられているとともに、前記外装部品が、前記内装部品を前記扉体の背面側に装着した状態で、前記開口部の周縁を覆う状態に装着されている点にあり、かかる構成から次の作用効果を奏する。
【０００５】
【作用】・・・
【０００６】
【発明の効果】従って、外装部品の外観意匠を開口部の寸法形状を越える広い範囲に亘って変更することを要する別の遊技装置に取替える場合でも、外装部品を分割して製作することなく、外装部品と内装部品とを一体的に扉体に装着でき、遊技装置の製作並びに扉体に対する装着が簡単に行えるとともに、その外観意匠を損なうことなく装着できる。」　
　（Ａ−２）「【０００７】
【実施例】図３は、遊技装置の一例としてのスロットマシン１とメダル貸機２とを並設するとともに、メダル貸機２に投入された紙幣を搬送する紙幣搬送装置４を背中合わせのスロットマシン１の背面間に配設して遊技島３を構成してある遊技設備を示し、前記スロットマシン１は、その遊技装置を、矩形の木製枠体５と前面扉体６とを備えたキャビネット７に組付けて構成され、扉体６が遊技島３前面側の通路に向けて縦軸芯回りで揺動開閉可能な状態で枠体５に枢支されているとともに、枠体５が遊技島３の棚板材８に固定されている。前記遊技装置は、図１，図２に示すように、投入メダルを貯留するとともに賞メダルを払い出すホッパーユニット９，電源ユニット１０，三つの図柄移動装置１１を各別に駆動させる図柄回動ユニット１２，図柄回動ユニット１２の制御用基板ケース１３等の通路側から隠れる状態で組付けられる内装部品と、入賞状態や遊技方法等を表示する入賞表示パネル１４，遊技結果に基づいて決定された図柄の組み合わせを表示窓１５から表示する図柄表示パネル１６，図柄回動ユニット１２を操作して遊技を行う為の操作ユニット１７，装飾パネル１８，メダル受け皿１９等の通路側に露出させる状態で組付けられる外装部品から構成され、ホッパーユニット９と電源ユニット１０等が枠体５側に組付けられ、入賞表示パネル１４と図柄回動ユニット１２，制御用基板ケース１３，図柄表示パネル１６，操作ユニット１７，装飾パネル１８，メダル受け皿１９等が扉体６側に組付けられている。前記操作ユニット１７は、メダルが投入されるメダル投入口２０と、図柄回動ユニット１２の駆動を開始させる始動レバー２１と、三つの図柄移動装置１１の駆動を各別に停止させる三つの停止ボタン２２とが設けられ、メダル投入口２０からメダルを投入して始動レバー２１を操作すると三つの図柄移動装置１１が駆動を開始して図柄が回動移動され、三つの停止ボタン２２を操作すると三つの図柄移動装置１１の駆動が各別に停止して決定された図柄の組み合わせが図柄表示パネル１６の表示窓１５に表示され、その図柄の組み合わせが所定の組み合わせになっているとホッパーユニット９が駆動されてメダル払出し口２３から賞メダルがメダル受け皿１９に払い出される。
【０００８】前記図柄回動ユニット１２は制御用基板ケース１３と共に板金製の矩形枠体２４内に固定され、矩形枠体２４の正面視外郭寸法よりも一回り大きな正面視外郭寸法を有する図柄表示パネル１６を図柄回動ユニット１２の前面側を覆う状態で当該矩形枠体２４の開口端に固着して、図柄回動ユニット１２と制御用基板ケース１３と図柄表示パネル１６とを扉体６に対して一体的に装脱可能な装着ユニット２５が構成されている。前記装着ユニット２５は、その矩形枠体２４部分を扉体６の前面側から、当該扉体６に形成した矩形枠体２４の正面視外郭寸法よりも若干大きい矩形開口部２６に挿入して、図柄表示パネル１６の周縁部２７背面が扉体６前面に接当している状態で、扉体６背面に固着した板金製の棚状枠２８に載置し、ロック機構（図外）で抜け出し不能に固定して扉体６に装着されるもので、内装部品である図柄回動ユニット１２と制御用基板ケース１３とが通路側から隠れる状態で装着されているとともに、外装部品である図柄表示パネル１６が、その周縁部２７で開口部２６の周縁を全周に亘って覆う状態で、扉体６外面側に装着され、操作ユニット１７からの信号ケーブルとホッパーユニット９からの信号ケーブルとがコネクター２９を介して制御用基板ケース１３に接続されている。尚、前記図柄移動装置１１は、無端帯状の図柄ベルト３０を上下一対のプーリー３１に巻掛けて、前後方向厚さが薄い薄型に構成されている。」　
　
　（Ａ−３）【図１】及び【図２】には、「扉体６上半部に形成された矩形開口部２６」及び「ホッパーユニット９と電源ユニット１０の上方に位置する装着ユニット２５」の技術事項が示されている。　
　　
　したがって、これらの技術事項記載をまとめると、引用刊行物Ａには、
　「メダル貸機２に並設され、
　遊技島３の棚板材８に固定されている矩形の木製枠体５と縦軸芯回りで揺動開閉可能な状態で前記枠体５に枢支されている前面扉体６とを備えたキャビネット７に、遊技装置を組付けて構成されるスロットマシン１であって、
　前記遊技装置は、投入メダルを貯留するとともに賞メダルを払い出すホッパーユニット９，電源ユニット１０，三つの図柄移動装置１１を各別に駆動させる図柄回動ユニット１２，図柄回動ユニット１２の制御用基板ケース１３等の隠れる状態で組付けられる内装部品と、遊技結果に基づいて決定された図柄の組み合わせを表示窓１５から表示する図柄表示パネル１６，図柄回動ユニット１２を操作して遊技を行う為の操作ユニット１７，メダル受け皿１９等の露出させる状態で組付けられる外装部品から構成され、ホッパーユニット９と電源ユニット１０等が枠体５側に組付けられ、図柄回動ユニット１２，制御用基板ケース１３，図柄表示パネル１６，操作ユニット１７，メダル受け皿１９等が扉体６側に組付けられ、
　前記図柄回動ユニット１２は制御用基板ケース１３と共に矩形枠体２４内に固定され、図柄表示パネル１６を図柄回動ユニット１２の前面側を覆う状態で当該矩形枠体２４の開口端に固着して、図柄回動ユニット１２と制御用基板ケース１３と図柄表示パネル１６とを扉体６に対して一体的に装脱可能な装着ユニット２５が構成され、
　前記装着ユニット２５は、その矩形枠体２４部分を扉体６の前面側から、当該扉体６上半部に形成された矩形開口部２６に挿入して、ホッパーユニット９と電源ユニット１０の上方に位置するよう扉体６に装着されるもので、内装部品である図柄回動ユニット１２と制御用基板ケース１３とが隠れる状態で装着されているとともに、外装部品である図柄表示パネル１６が、扉体６外面側に装着され、
　操作ユニット１７からの信号ケーブルとホッパーユニット９からの信号ケーブルとがコネクター２９を介して制御用基板ケース１３に接続され、
　図柄表示パネル１６の表示窓１５に表示される図柄の組み合わせが所定の組み合わせになっているとホッパーユニット９が駆動されて賞メダルがメダル受け皿１９に払い出されるものであり、
　外装部品の外観意匠を開口部の寸法形状を越える広い範囲に亘って変更することを要する別の遊技装置に取替える場合でも、外装部品と内装部品とを一体的に扉体に装着でき、遊技装置の扉体に対する装着が簡単に行える、
　スロットマシン１。」の発明（以下、「引用発明Ａ」という。）が記載されていると認められる。
　
　原査定の拒絶理由通知に引用された特開平５−７６６４号公報（以下、「引用刊行物Ｂ」という。）には、以下の技術事項が記載されている。
　（Ｂ−１）「（５７）【要約】・・・
【目的】　パチンコ機又はスロットマシンを貸出機構とゲーム機構とに分離し、パチンコ機又はスロットマシンの何れかの選択及びこれ等のモデルチェンジを無駄なく行い、且つ、遊技場の利用効率を高める。」　
　（Ｂ−２）「【０００１】
【産業上の利用分野】本発明は、プリペイドカード、紙幣又は貨幣による貸出機構を内蔵するパチンコ機又はスロットマシン等の遊技機に関連し、特に、貸出機構を内蔵する一つの基台部に、パチンコ機本体部とスロットマシン本体部とを取替え可能に組合せて使用する遊技機に関する。」　
　（Ｂ−３）「【０００５】
【作用】本発明の遊技機は上記構成により、基台部にパチンコ機本体部又はスロットマシン本体部を選択的に取り付け取り外し可能に載置して使用でき、且つ、遊技方法の流行に関係があるゲーム機構を本体部に組み込み、前記流行と関係がない機構を基台部に組み込んでいるので、これを遊技場に設置する場合、遊技機の島を前記基台部を密接して並べて構成し、客の好みに合わせてパチンコ機又はスロットマシンのいずれかを選び、且つ、その時の流行モデルの本体部をその上に載置して使用し、流行が変われば、本体部のみを新流行モデルの本体部に取替え基台部はそのままで長期にわたって使用でき、又、・・・」　
　（Ｂ−４）「【００３７】
【発明の効果】従来技術ではパチンコ機とスロットマシンとが夫々別個に外装ケースに一体に組み込まれていたが、本発明の遊技機は上記に示すように、遊技の流行とは関係が無く且つパチンコゲームとスロットマシンゲームとに共通な貸出機能を一つの基台部に収め、この基台部の上に、パチンコゲーム機構を備えた本体部又はスロットマシンゲーム機構を備えた本体部を選択的に載置して使用するので、基台部を密接して横に並べて設置して遊技機の島を作つておけば、客の好みに合わせてパチンコゲーム機構を備えた本体部又はスロットマシンゲーム機構を備えた本体部を選択的に載置して使用し、且つ、流行が変われば本体部のみを新流行のモデルに取り替え、基台部はそのまま長期に亘つて使用できる。」　
　　　
　（Ｂ−５）スロットマシンとしての分離状態の斜視図であるである【図１】には、「上方に箱型状の本体部２を、下方に箱型状の基台部１を配置したスロットマシン。」の技術事項が示されている。　
　
　したがって、これらの技術事項をまとめると、引用刊行物Ｂには、
　「貸出機構を内蔵する箱型状の基台部１と、ゲーム機構を備えた本体部２とに分離している、スロットマシンであって、
　下方に配置された前記基台部１の上方に、前記本体部２を選択的に取り付け取り外し可能に載置して使用することにより、
　遊技方法の流行に関係がある本体部２のみを新流行のモデルに取り替え、遊技の流行とは関係が無い基台部１はそのまま長期に亘つて使用でき、モデルチェンジを無駄なく行うことが出来る、スロットマシン。」の発明（以下、「引用発明Ｂ」という。）が記載されていると認められる。
　
　原査定の拒絶理由通知に引用された実願昭６３−９５８４６号（実開平２−１７１７７号）のマイクロフィルム（以下、「引用刊行物Ｃ」という。）において、
　（Ｃ−１）明細書第４頁第７行乃至第１０行には「スロットマシンの装置本体（図示せず）が内蔵されたキャビネット１の前面開口部２に取付けられる前面ドアを上下に分割し、上部ドア（前面ドア）３と下部ドア４とを形成している。」と、　
　（Ｃ−２）明細書第５頁第３行乃至第１４行には「キャビネット１の前面開口部２の上部において、前記上部ドア３が取付け可能な口字状の支持枠１５を前記キャビネット１に枢着している。・・・前面開口部２の下部においては前記下部ドア４が直接キャビネット１に枢着されている。」と、
　（Ｃ−３）明細書第６頁第６行乃至第１２行には「これにより、上部ドア３を支持枠１５を介してキャビネット１に開閉可能に取付けることができる。従って、スロットマシンの装置本体や装置本体が内蔵されるキャビネット１はそのままで・・・外観意匠の異なる上部ドア３に交換することによって新台に交換したのと同様の効果を顧客に与えることができる。」と、それぞれ記載されている。　
　　　　　　　　　
　したがって、これらの記載事項をまとめると、引用刊行物Ｃには、
　「装置本体が内蔵されたキャビネット１の前面開口部２に取付けられる前面ドアを、上部ドア３と下部ドア４との上下に分割したスロットマシンにおいて、
　装置本体やキャビネット１はそのままで外観意匠の異なる上部ドア３に交換することによって新台に交換したのと同様の効果を顧客に与えることができる、スロットマシン。」の発明（以下、「引用発明Ｃ」という。）が記載されていると認められる。
　　　　　
　（い）本願補正発明と引用発明Ａとの比較・検討
　（い−１）引用発明Ａの「図柄回動ユニット１２」は、本願補正発明の「遊技機能の主体であるリールユニット」に相当し、以下同様に、「制御用基板ケース１３」は「制御ボックス」に、「メダルを払い出すホッパーユニット９」は「メダルを払い出す機能を有するメダルホッパー」に、「電源ユニット１０」は「電源ボックス」に、それぞれ相当する。
　（い−２）引用発明Ａの「装着ユニット２５」は、「矩形枠体２４内に図柄回動ユニット１２と制御用基板ケース１３とを固定」するものであり、「その矩形枠体２４部分を、扉体６上半部に形成された矩形開口部２６に挿入して、扉体６に装着される」ものであり、「別の遊技装置に取替える場合でも、外装部品と内装部品とを一体的に扉体に装着でき」ものであるから、本願補正発明の「遊技機能の主体であるリールユニット、これの制御ボックス及びこれらに附属する機器を収納してなり、筐体が箱型状を呈する上部ユニット」と比較して、「遊技機能の主体であるリールユニット及びこれの制御ボックスを収納してなり、筐体が箱型状を呈する入れ替えユニット」において一致する。
　次に、引用発明Ａの「遊技島３の棚板材８に固定されている木製枠体５と前記枠体５に枢支されている前面扉体６とを備えたキャビネット７」は、「内装部品であるホッパーユニット９と電源ユニット１０等が矩形の枠体５側に組付けられ」るものであり、当該ホッパーユニット９は賞メダルをメダル受け皿１９に払い出すものであるから、本願補正発明の「外部からメダルの払出信号を受けてメダルを払い出す機能を有するメダルホッパー、電源ボックス及びこれらに附帯する機器を収納してなるとともに、前面には下扉が装着されてなる、筐体が箱型状を呈する下部ユニット」と比較して、「メダルを払い出す機能を有するメダルホッパー及び電源ボックスを収納してなるとともに、前面には扉が装着されてなる、筐体が箱型状を呈する非入れ替えユニット」において一致する。
　更に、引用発明Ａの「装着ユニット２５」と「キャビネット７」について検討すると、「装着ユニット２５」は「キャビネット７の前面扉体６に装着される」ものであり、「別の遊技装置に取替える場合でも、外装部品と内装部品とを一体的に扉体に装着でき」るものであるから、本願補正発明の「上部ユニットと下部ユニットとを着脱自在に積み重ねてなり、」と比較して、「入れ替えユニットと非入れ替えユニットとを着脱自在とし、」において一致する。
　（い−３）引用発明Ａの「スロットマシン１」は、「キャビネット７に、遊技装置を組付けて構成される」ものであり、「別の遊技装置に取替える場合でも、外装部品と内装部品とを一体的に扉体に装着でき」るものであるから、本願補正発明の「分離型メダル遊技機」に相当する事項を備えている。
　
　そうすると、両者の一致点及び相違点は次のとおりである。
　
　一致点
　各々の筐体が箱型状を呈する入れ替えユニットと非入れ替えユニットとを着脱自在とし、前記入れ替えユニットは遊技機能の主体であるリールユニット、これの制御ボックスを収納してなり、前記非入れ替えユニットはメダルを払い出す機能を有するメダルホッパー、電源ボックスを収納してなるとともに、前記非入れ替えユニットの前面には扉が装着されてなる、分離型メダル遊技機。
　
　相違点
　（１）着脱自在なユニットが、本願補正発明では積み重ねてなる上部ユニットと下部ユニットであるのに対し、引用発明Ａでは非入れ替えユニットとその上半部に装着される入れ替えユニットである点。
　（２）入れ替えユニットに収納されるものが、本願補正発明ではリールユニット、これの制御ボックス及びこれらに附属する機器であるのに対し、引用発明Ａではリールユニット及びこれの制御ボックスである点。
　（３）非入れ替えユニットに収納されるものが、本願補正発明ではメダルホッパー、電源ボックス及びこれらに附帯する機器であるのに対し、引用発明Ａではメダルホッパー及び電源ボックスである点。
　（４）メダルを払い出す機能を有するメダルホッパーが、本願補正発明では外部からメダルの払出信号を受けて機能するのに対し、引用発明Ａでは表示窓に表示される図柄の組み合わせが所定の組み合わせになっていると賞メダルを払い出す点。
　（５）本願補正発明では上部ユニットの前面には上扉が、また下部ユニットの前面には下扉が、それぞれ装着されてなるのに対し、引用発明Ａでは非入れ替えユニットの前面には扉が装着されているものの、入れ替えユニットの前面に扉が装着されているかどうか明らかでない点。
　
　そこで、上記相違点について検討する。
　相違点（１）について　
　引用発明Ｂには、箱型状を呈する上部ユニット（本体部２）と下部ユニット（基台部１）とを着脱自在に積み重ね（取り付け取り外し可能に載置して使用）てなる分離型メダル遊技機（分離している、スロットマシン）が記載されている。そして、引用発明Ａの「非入れ替えユニットとその上半部に装着される入れ替えユニット」に引用発明Ｂの「下部ユニット（基台部１）と上部ユニット（本体部２）」を適用し、相違点（１）に係る本願補正発明の構成とすることは、引用発明Ａ及び引用発明Ｂが「一方のユニットを交換してモデルチェンジを行う分離型メダル遊技機」において共通しているから、当業者が容易になし得ることである。
　
　相違点（２）及び（３）について
　「主たる機器に附属、附帯する機器」を「主たる機器」の近傍に配置することは、メダル遊技機の技術分野に限らず、製造時や点検時の作業性を考慮して普通に採用されている技術常識であるから、「主たる機器」を収納するユニットに「主たる機器に附属、附帯する機器」を併せて収納させることは、当業者が容易になし得ることである。そうすると、相違点（２）及び（３）に係る本願補正発明の構成とすることは、引用発明Ａに基づいて、当業者が容易になし得ることである。
　　
　相違点（４）について　　
　外部からメダルの払出信号を受けてメダルを払い出す機能を有するメダルホッパーは、例えば実願昭５７−１５５２３１号（実開昭５９−６１０８８号）のマイクロフィルムに示される「検出部からの信号によってメダルを排出するホッパー」（明細書の実用新案登録請求の範囲、同第３頁第１６乃至１８行、同第４頁第１４乃至１６行、第１及び２図参照）、及び実願昭６２−８８４０２号（実開昭６３−１９７５８３号）のマイクロフィルムに示される「貨幣識別機３５からの電気信号に基づきメダルを搬出するホッパー２７」（明細書第８頁第３乃至２０行、第４及び５図参照）のように、当該技術分野においては周知・慣用の技術であるから、引用発明Ａの「メダル貸機に並設されているメダル遊技機（スロットマシン）に収納されたメダルホッパー（ホッパーユニット９）」に当該周知・慣用の技術を適用し、相違点（４）に係る本願補正発明の構成とすることは、当業者が容易になし得ることである。
　
　相違点（５）について　　
　引用発明Ｂには、下部ユニット（基台部１）と上部ユニット（本体部２）とを有する分離型メダル遊技機（分離している、スロットマシン）が記載され、引用発明Ｃには、前面ドアを、下扉（下部ドア４）と上扉（上部ドア３）に分割したメダル遊技機（スロットマシン）が記載されている。そうすると、引用発明Ａ乃至引用発明Ｃは「一部の部材を交換してモデルチェンジを行うメダル遊技機（スロットマシン）」において共通しているから、引用発明Ａの「扉（前面扉体６）を備えた非入れ替えユニットとその上半部に装着される入れ替えユニット」に引用発明Ｂの「下部ユニット（基台部１）と上部ユニット（本体部２）」を適用する際に、引用発明Ｃの「前面ドアを、下扉（下部ドア４）と上扉（上部ドア３）に分割」した技術を適用し、相違点（５）に係る本願補正発明の構成とすることは、当業者が容易になし得ることである。
　
　また、効果においても、引用発明Ａ乃至引用発明Ｃが「一部の部材を交換してモデルチェンジを行う」ものであるから、本願補正発明が格別の効果を奏するものとは認められない。
　　　　
　（う）むすび
　以上のとおり、本件補正は、平成６年改正前特許法第１７条の２第４項で準用する同法第１２６条第３項の規定に違反するものであり、特許法第１５９条第１項で準用する特許法第５３条第１項の規定により却下されるべきものである。
　
第三、本願発明について
　平成１９年１２月２５日付けの手続補正は上記のとおり却下されたので、本願の請求項１及び２に係る発明は、願書に添付された明細書の記載からみて、その特許請求の範囲の請求項１及び２に記載されたとおりのものと認められるところ、その請求項１に記載された発明は次のとおりのものである。
　「　上部ユニットとこれに着脱自在に設けた下部ユニットとからなり、前記上部ユニットは遊技機能の主体であるリールユニット、これの制御ボックス及びこれらに附属する機器を収納してなり、前記下部ユニットは外部からメダルの払出信号を受けてメダルを払い出す機能を有するメダルホッパー、電源ボックス及びこれらに附帯する機器を収納してなるとともに、前記上部ユニットの前面には上扉が、また前記下部ユニットの前面には下扉が、それぞれ装着されてなることを特徴とする分離型メダル遊技機。」（以下、「本願発明」という。）
　
　（あ）刊行物に記載された発明
　原査定の拒絶理由通知に引用された刊行物及びその記載事項は前記「第二、（２）（あ）刊行物に記載された発明」に記載したとおりである。
　
　（い）本願発明と引用発明１との比較・検討
　本願補正発明は、本願発明の構成に欠くことができない事項である「着脱自在に設けた上部ユニットと下部ユニット」について、「各々の筐体が箱型状を呈する上部ユニットと下部ユニットとを着脱自在に積み重ねてなり、」と限定するものである。
　そうすると、本願発明の構成に欠くことができない事項を全て含み、さらに他の発明の構成に欠くことができない事項を付加したものに相当する本願補正発明が、前記「第二、（２）（い）」に記載したとおり、引用発明Ａ乃至引用発明Ｃ及び周知・慣用の技術に基づいて、当業者が容易に発明をすることができたものであるから、本願発明も、同様の理由により、引用発明Ａ乃至引用発明Ｃ及び周知・慣用の技術に基づいて、当業者が容易に発明をすることができたものである。
　　
　（う）むすび
　以上のとおり、本願発明は、引用発明Ａ乃至引用発明Ｃ及び周知・慣用の技術に基づいて、当業者が容易に発明をすることができたものであるから、本願の他の請求項に係る発明について検討するまでもなく、本願発明は、特許法第２９条第２項の規定により、特許を受けることができない。
　よって、結論のとおり審決する。